(57)【特許請求の範囲】
【請求項１】
ライターであって、
燃料供給部を有するハウジングと、
前記燃料供給部からの燃料に点火するための点火機構と、
作動力が与えられると選択的に燃料に点火するように可動的にハウジングに取り付けられた作動ユニットと、
前記ハウジングから露出し、組み合わせた力が作動力よりも大きな又は同じである力をユーザーが接触部に与えるために、ユーザーに少なくとも２本の指を使用させる、少なくとも２箇所の分離された接触部であって、前記少なくとも２箇所の分離された接触部のそれぞれが、前記作動力を克服するための力を与える接触部と、を含み、
前記作動ユニットに、作動力よりも大きな又は作動力と同等の組み合わせ力を与えるために、前記少なくとも２箇所の分離された接触部のそれぞれに力が与えられる、ライター。
【請求項２】
前記作動ユニットが、燃料供給部から燃料を放出させるための少なくとも１箇所の内部面を有する、請求項１のライター。
【請求項３】
前記作動ユニットが、燃料に点火するために点火機構を作動させるための、少なくとも１箇所の内部面を有する、請求項１のライター。
【請求項４】
前記作動ユニットが、点火機構を作動させ、及び、燃料供給部から燃料を放出させるための少なくとも１箇所の内部面を有する、請求項１のライター。
【請求項５】
前記作動ユニットが、燃料に点火するために点火機構を作動させるための少なくとも１箇所の内部面、及び、燃料供給部から燃料を放出させるための少なくとも１箇所のさらなる内部面を有する、請求項１のライター。
【請求項６】
前記作動ユニットが、ハウジングに対して回転する、請求項１のライター。
【請求項７】
前記作動ユニットの少なくとも一部分がハウジングに対して回転する、請求項１のライター。
【請求項８】
前記作動ユニットの少なくとも一部が直線的な動作で動く、請求項１のライター。
【請求項９】
前記少なくとも２箇所の接触部が、ハウジングの異なる部分から露出している、請求項１のライター。
【請求項１０】
前記少なくとも２箇所の接触部が、ハウジングの反対側から露出している、請求項１のライター。
【請求項１１】
前記少なくとも２箇所の分離された接触面が作動ユニット上にある請求項１のライター。
【請求項１２】
前記作動ユニットが、前記ハウジングに可動的に取り付けられた１片の作動部材を含み、前記接触部への力の付与が、燃料に選択的に点火するよう前記作動部材をハウジングに対して動かす、請求項１のライター。
【請求項１３】
前記作動ユニットが、前記ハウジング及び／又は作動ユニットに可動的に取り付けられた少なくとも一つの部品を有する作動アッセンブリを含み、前記接触部への力の付与が、燃料に選択的に点火するよう前記作動ユニットをハウジング及び／又は作動ユニットに対して動かす、請求項１のライター。
【請求項１４】
前記作動アッセンブリが、互いに連結材で結合された少なくとも２つの可動部品を含む、
請求項１３のライター。
【請求項１５】
前記連結材が、前記少なくとも２つの可動部品の一方が動くことなく、前記少なくとも２つの可動部品の他方に何らかの動きを与える、請求項１４のライター。
【請求項１６】
前記少なくとも２つの可動部品が、ハウジングに回転可能に備えられたカム部材と、ハウジングに対して可動に備えられたプッシュボタンとを含み、前記プッシュボタンは連結材で前記カム部材と結合されている、請求項１４のライター。
【請求項１７】
前記ライターがさらにノズルを含み、作動ユニットによって作動された時に前記燃料供給部は前記ノズルに燃料を送出し、前記点火機構はノズルで燃料に点火し、前記点火機構は作動ユニットによって作動される、請求項１のライター。
【請求項１８】
前記燃料供給部と前記点火部材がそれぞれ、作動ユニットが作動されるように与えられる分力を必要とし、火花発生部材の分力と組み合わされる燃料供給部の分力は、作動力の一部である、請求項１７のライター。
【請求項１９】
燃料に点火するために作動ユニットによって克服されるべき追加的な力を付加する、追加的な力付加部材をさらに含む、請求項１のライター。
【請求項２０】
前記追加的な力付加部材が、ハウジングに対する作動ユニットの作動動作と逆向きの少なくとも一つのばねを含む、請求項１９のライター。
【請求項２１】
前記ハウジングがハンドル部を有し、前記少なくとも２つの分離された接触部は、前記ハンドルの下部から延在する第一の接触部と、前記ハンドルの異なる部分から延在する第二の接触部とを有する、請求項１のライター。
【請求項２２】
前記ハウジングがハンドル部を有し、前記少なくとも２つの分離された接触部は、前記ハンドルの下部から延在する第一の接触部と、前記ハンドル部材の上部から延在する第二の接触部とを有する、請求項１のライター。
【請求項２３】
前記作動ユニットは第一の位置から第二の位置へハウジングに対して可動であり、前記作動ユニットが燃料供給部から供給される燃料の点火を起こす、請求項１のライター。
【請求項２４】
前記作動ユニットが５〜２０ｋｇの作動力を必要とするように設定されている、請求項１のライター。
【請求項２５】
前記作動ユニットが６．５〜１５ｋｇの作動力を必要とするように設定されている、請求項１のライター。
【請求項２６】
前記作動ユニットが、５０ｋｇ−ｍｍ〜５００ｋｇ−ｍｍの作動トルクを必要とするように設定されている、請求項１のライター。
【請求項２７】
燃料供給部を有するハウジングと、前記燃料供給部からの燃料に点火するための点火機構と、作動力が与えられると選択的に燃料に点火するように可動的にハウジングに取り付けられた作動ユニットと、前記ハウジングから露出し、組み合わせた力が作動力よりも大きな又は同じである力をユーザーが接触部に与えるために、ユーザーに少なくとも２本の指を使用させる、少なくとも２箇所の分離された接触部であって、前記少なくとも２箇所の分離された接触部のそれぞれが、前記作動力を克服するための力を与える接触部と、を有するライターに点火するための方法であって、
作動ユニットに、作動力より大きな又は作動力と同等の組み合わせ力を与えるために、２つの分離した接触部のそれぞれに力を与えることを含み、それによって燃料が燃料供給部から放出され、点火機構によって点火される、方法。
【発明の詳細な説明】
【技術分野】
【０００１】
本発明は一般的に、たばこや葉巻に火をつけるために用いられるポケットライターや、ろうそく、バーベキューグリル、暖炉やキャンプファイアーに点火するために用いられる実用ライターに関する。より詳しくは、意図しないユーザーによる故意でない操作や望まない操作を防止する、これらのライターに関する。
【背景技術】
【０００２】
たばこ、葉巻やパイプ等のたばこ製品に点火するために用いられるライターは、長年にわたって開発されてきた。典型的にはこれらのライターは、燃料収容部から燃料を排出するノズルの近傍に、火花を出すための回転摩擦部品か圧電素子のいずれかを有する。圧電機構は、その使用の簡単さゆえに世界的に受け入れられてきた。Meuryの米国特許5,262,697号はこのような圧電機構の一つを開示しており、’697特許の開示はその全体がここに参照によって引用される。
【０００３】
ライターはまた、小さなシガレットライターやポケットライターから、いくつもの拡張された形態や実用ライターに発達してきた。これらの実用ライターは、例えばろうそく、バーベキューグリル、暖炉やキャンプファイアーに火をつけるような一般的な目的のために、より有用である。このようなデザインの初期の段階は、単純に、後端に一般的なポケットライターを収容した延長された操作ハンドルに依存するものだった。米国特許4,259,059号や4,462,791号はこのコンセプトの例を含む。
【０００４】
多くのポケットライターや実用ライターは、幼い子供による望まぬライター操作を防止するため、何らかの機構を有している。燃料源を閉じたり、ライターのプッシュボタンのようなアクチュエータの動きを止めたりすることができるオン／オフスイッチが、しばしばみられる機構である。ユーザーが「オン」と「オフ」の位置の間を積極的に動かすオン／オフスイッチは、問題含みでありえる。例えば、成人ユーザーが使用後にスイッチを「オフ」位置に戻すことを忘れてしまえば、この特徴は役に立たなくなる。
【０００５】
他のポケットライターや実用ライターは、アクチュエータやプッシュボタンの動きを停止又は回避する、ばね付勢されたブロック歯止めを有する。Saitoの米国特許5,697,775号やShikeらの米国特許5,145,358号はこのようなライターの例を示している。
意図しないユーザーによる故意でない操作や望まない操作を防止するライターであって、製造が簡単で、なるべく少数の部品で、対象とするユーザーには利用しやすいライターには現存するニーズがあり、このニーズを満たすことが本発明の目的である。
【先行技術文献】
【特許文献】
【０００６】
【特許文献１】米国特許5,262,697号
【特許文献２】米国特許4,259,059号
【特許文献３】米国特許4,462,791号
【特許文献４】米国特許5,697,775号
【特許文献５】米国特許5,145,358号
【発明の概要】
【０００７】
本発明によれば、前記のニーズ及び目的が満たされる。本発明によれば、ライターのデザインは、ライターをチャイルドレジスタンス（ＣＲ）にするために必要な部品の数を、ライターのＣＲ性を改良する取り組みが増す以前にライターに用いられていた数量にまで低減するものである。このライターのデザインはＣＲ性を有すると同時に、成人の、つまり対象とするユーザーにとっても使いやすい一方で、コストと複雑さを顕著に低減するものである。
【０００８】
本発明はポケットライターや実用ライターのようなライターに関する。ハウジングは燃料供給部を有し；当該燃料供給部からの燃料に点火するための点火機構；作動力が与えられると選択的に燃料に点火するように、可動的にハウジングに取り付けられた作動ユニット；及び、組み合わせた力が作動力より大きな又は同じである力をユーザーが接触部に与えるために、ユーザーに少なくとも２本の指を使わせる、少なくとも２箇所に分離された、ハウジングから露出した接触部を有する。
【０００９】
作動ユニットの２箇所に分離された接触部は、ハウジングの反対側にあってよく、ハウジングの異なる部分や面を通じて露出してもよい。作動ユニットは１部品の作動部材として作られてもよく、また、分離された接触部への力の付与が、選択的に燃料に点火するために作動部材をハウジングに対して動かすように、作動ユニットがハウジングに可動的に取り付けられてもよい。
【００１０】
作動ユニットは代替的に、複数の部品を含み、その１又は複数は可動的にハウジングに組み合わされ、必要な作動力を加えることでライターの操作を許容する、作動アッセンブリであってもよい。つまり作動ユニットは、１部品の作動部材、又は、複数部分を含む作動アッセンブリでありえる。
【００１１】
ライターは、一般的な実用ライターのような延長されたノズルを有してもよく、そのノズルは燃料供給部に接続されている。燃料供給部は、典型的にはチューブを通じて、延長されたノズルに燃料を供給する。作動ユニットが動かされ又は回転された時、作動ユニットの内側面が燃料を放出するためのガス放出機構と相互作用し、また、火花を生じるように点火又は火花発生部材と相互作用して、燃料が点火される。その相互作用は直接であってもよく、また、カムと圧電機構との間やカムとガス放出機構との間に部品を有して、間接でもあってもよい。
【００１２】
燃料に点火するために作動ユニットを動かすために必要な力は、ガスを放出させるために必要な力と火花発生部材を作動させるために必要な力との合計でありうる。作動ユニットを動かすための力は、例えば作動ユニットの動きに対抗したり、作動ユニットを初期位置に戻したりするための少なくとも一つのばねのような、追加的な力付加部材を追加することによって増幅されてもよい。
【００１３】
必要な作動力を増すための追加的な力付加部材を付加する可能性に加えて、作動力は、回転軸に対する接触部の位置で調節されうる。つまり、作動ユニットに最終的な力を与えるためのレバーの長さが、ライターの作動の容易度や困難度を調節しうる。
【００１４】
作動ユニットの第一の接触部はハウジングの下部に位置してもよく、第二の接触部はハンドルの別の部分にありうる。第二の接触部は好ましくはハンドルの上部に位置する。作動ユニットは、第一の初期又はオフ位置から第二の点火位置へと動かされ、作動ユニットが点火位置まで動かされた時に、ライターは燃料供給部から供給される燃料に点火する。
【図面の簡単な説明】
【００１５】
【図１】本発明の好ましい特徴が図とともに開示される。複数の図にわたって、同じ参照記号は同じ部分を示す。
【００１６】
図１は一つの実施態様である実用ライターの側面の断面図である。幾つかの部品は明瞭性と様々な内部の詳細の描写のために省略されている。ライターは初期位置にある。
【００１７】
【図１Ａ】図１Ａは、燃料供給部とチューブとガスアクチュエータの部分の間の接続の詳細図である。
【００１８】
【図１Ｂ】図１Ｂは、延長されたノズルの端部の詳細図であり、ここで点火が起こる。
【００１９】
【図２】図２は、図１の実用ライターの側面の断面図であり、ライターは点火状態にある。
【００２０】
【図２Ａ】図２Ａは、図１のライターのカム１５０の詳細図であり、カムの様々な面を明示している。
【００２１】
【図３】図３は図１と同様の図であり、点火プロセスの最初で、作動ユニット上の２箇所の分離された接触部に置かれたユーザーの指が追記されている。
【００２２】
【図４】図４は図２と同様の図で、点火時に、作動ユニット上の２箇所の分離された接触部に置かれたユーザーの指が追記されている。
【００２３】
【図５】図５は、作動ユニットの別の実施形態を示しており、作動点は、初期位置において、ハウジングの側面及び下部にある。
【００２４】
【図６】図６は、図５の実施形態の作動ユニットである。
【００２５】
【図７】図７は図５と同じ実施形態で、点火位置を示す。
【００２６】
【図８】図８は図５と同じ図で、点火プロセスの最初で、作動ユニット上の２箇所の作動点に置かれたユーザーの指が追記されている。
【００２７】
【図９】図９は図７と同じ図で、点火位置で、作動ユニット上の２箇所の作動点に置かれたユーザーの指が追記されている。
【００２８】
【図１０】図１０は別の実施形態の実用ライターの側面の断面図で、幾つかの部品は明瞭性と様々な内部の詳細の描写のために省略されており、ライターは初期又は休止位置にある。
【００２９】
【図１０Ａ】図１０Ａは、図１０の点火ユニットの一部の等角図である。
【００３０】
【図１０Ｂ】図１０Ｂは、図１０の点火ユニットの別の部分の等角図である。
【００３１】
【図１０Ｃ】図１０Ｃは、図１０Ｂの点火ユニットの部分の前面図である。
【００３２】
【図１０Ｄ】図１０Ｄは、点火位置にある図１０の実施形態の図である。
【００３３】
【図１１】図１１及び
【図１２】図１２は、３箇所の接触面を有する別の実施形態を示す。
【００３４】
【図１３】図１３は、さらなる実施形態の実用ライターの側面の断面図で、幾つかの部品は明瞭性と様々な内部の詳細の描写のために省略されており、ライターは初期又は休止位置にある。
【００３５】
【図１３Ａ】図１３Ａは、図１３の実施形態の部品を図示する。
【００３６】
【図１３Ｂ】図１３Ｂは、図１３の実施形態の他の部品を図示する。
【００３７】
【図１４】図１４は、カムよりもプッシュボタンに大きな力を加えながらプッシュボタンとカムとの両方を押したとき、又は、プッシュボタンのみを押した時の、点火位置にある図１３の実施形態を示す。
【００３８】
【図１５】図１５は、カムのみを押した時、又は、プッシュボタンよりもカムに大きな力を加えながらプッシュボタンとカムとの両方を押した時の、点火位置にある図１３の実施形態を示す。
【発明の詳細な説明】
【００３９】
図１に戻ると、本発明によって構成される実用ライター１０の実施形態は、当業者には様々な部品について多くの改変や置換がされうることがわかるだろうという理解とともに示される。本発明は実用ライターに言及して説明されるが、当業者には、従来のポケットライターやその類似品についての教示も読み取ることが可能である。
【００４０】
図１の実用ライター１０やここに提供される他の実施形態は、対象外のユーザーによって点火されることを回避又は阻止（又は困難度を増加）するための特徴を有するようデザインされた実用ライターを提供する。
【００４１】
実用ライター１０は、一端にハンドルを、他端にノズル２３０（図１Ｂ）を有し、また、ノズル２３０と選択的に流体連結するよう接続された燃料供給部１１０を含む。概要的に１４３に示された圧電素子機構などの点火アッセンブリは、火花近接ノズル１６５（図１Ｂ）を作り出すようにハウジング１００に操作可能に接続されている。この実施形態ではカム１５０として示されたアクチュエータユニットは、ハンドルに近接してハウジング１００に接続されており、燃料を燃料供給部１００から排出するため、及び、点火アッセンブリ１４３を動かすための両方に対して働く。
【００４２】
ハウジング１００は主としてアクリロニトリル・ブタジエン・スチレン（ＡＢＳ）や類似品のような成型硬質ポリマーやプラスチック材料で形成されうる。ハウジング１００は、例えば超音波溶接などの当業者には公知の技術によって互いに組み合わされる、２部品から形成されてもよい。
【００４３】
図１〜４のように、ハウジング１００は好ましくは、燃料供給容器１１０と、ガスアクチュエータ１２０と、筒部１８０を通じて筒部の先端又はノズル２３０に延在するチューブ１６０に接続されたバルブアッセンブリ１３０とを含む燃料供給ユニット１０５（図１及び１Ａ）を含む。燃料供給容器１１０は、例えばブタンやプロパン及びブタン混合体、その他の圧縮炭化水素ガスなどの燃料を収容する。図３及び４に示されるリテーナ１９０及び２００は、ハウジング１００の中の適切な位置にあって、ガスアクチュエータ１２０に対して燃料供給部１１０を保持している。
【００４４】
図１、１Ａ及び２のように、ガスアクチュエータ１２０はハウジング１００か燃料供給部１０５に回転可能に支持又は接続されている。バルブアッセンブリ１３０はジェット１６４（図１Ａ）及びバルブを含む。バルブは調節可能な、又は固定された炎バルブであり、公知技術のように、常時開又は常時閉でありうる。反時計回りのガスアクチュエータ１２０の回転が、燃料供給部１０５から燃料を放出させながら、ジェット１６４を持ち上げる。
【００４５】
図１、１Ａ及び２のように、燃料コネクタ１６２はジェット１６４の上部に位置しており、そこでチューブ１６０を受けている。しかしながらコネクタ１６２は付加的であり、使用されない場合は、チューブ１６０がジェット１６４に直接配置される。
【００４６】
適切な燃料供給容器１１０は米国特許5,934,895号、5,520,197号、 5,435,719号及び6,086,360号に開示されており、その開示はその全体がここに参照によって引用される。上記の特許で開示される燃料供給ユニットは、当業者によって所望に応じて、風防、歯止めばね、歯止め、その他などの色々な部品が取り除かれたり、開示された部品の全てが使用されたりする。燃料供給部については代替的な設計が用いられてもよい。
【００４７】
チューブ１６０は燃料供給ユニット１１０をノズル１６５に流体的に接続する経路を規定する（図１、１Ａ及び１Ｂ）。フレキシブルチューブ１６０に適切な材料はプラスチックである。つまりチューブ１６０は燃料を、燃料供給ユニット１０５からノズル１６５へと輸送する。
【００４８】
チューブ１６０は、延長されたノズルの先端２３０又は筒部１８０の近傍に位置するノズル１６５に接続される。つまりチューブ１６０は燃料を、燃料供給ユニット１０５から筒部１８０の先端２３０のノズル１６５まで搬送する。ノズル１６５は付加的に、好ましくは図１Ｂに示されるコイルばねの形態であるディフューザ１６７を含んでもよい。
【００４９】
図１のように、本発明の全ての局面において必要ではないものの、例えば圧電機構のような電気的な点火アッセンブリ１４３は、一つの好ましい点火アッセンブリである。かかる点火アッセンブリは代替的に、他の電子的な点火部品を含んでもよい。例えば米国特許3,758,820号及び5,496,169号に示されるような、火花を発生させ、燃料に点火するための技術において周知である火花ホイールや火打ち石アッセンブリ、又は他の周知の機構を含んでもよい。点火アッセンブリは代替的に、例えば、端子に接続されたコイルを有するバッテリを含んでもよい。圧電機構は、上述の‘697特許で開示されたタイプである。
【００５０】
圧電ユニット１４３は好ましくは、共通の軸に沿って互いにスライドする、上部部分１４０及び下部部分１４２を含む。コイルばね又は圧電ばね１４８は、圧電ユニットの上部及び下部部分１４０，１４２の間に位置する。圧電ばね１４８は圧電ユニットの圧力に対抗する働きがあり、ハウジング内１００にある時にはカム１５０の回転に対抗する。
【００５１】
圧電ユニット１４３（図３）はさらに、電気接触部１４５及び電気接触部１４７を含む。ワイヤ１４６は電気接触部１４７を筒部１８０に接続する。ワイヤ１４４は電気接触部１４５をノズル１６５に接続する（図１Ｂに図示）。圧電ユニット１４３が作動されたとき、燃料に点火するために、ギャップＷ（図１Ｂ）の間で火花が発生する。
【００５２】
図１〜４のように、カム１５０は好ましくはハウジング１００に回転可能に支持される。当業者は、カム１５０は他の方法、例えば、カンチレバー式、屈曲可能に、スライド可能に、或いは回転可能に、ハウジングに結合又は接続されてもよいことがわかるだろう。例えば、カム１５０は連結式であってもよく、一つの部分がハウジング１００に結合され、他の部分が軸動する２部分からなっていてもよい。このような実施形態は下で述べられる図１０に示される。
【００５３】
カム１５０の形状は、少なくとも２箇所の露出面（図１の１５０ａ及び１５０ｂ）と、直接又は間接的に点火アッセンブリ及び／又は燃料供給部と相互作用する少なくとも一つの機能面（例えば１５０ｃ、１５０ｄ、図２Ａ）とを有していればどのような形状でもよい。この実施形態では、カム１５０は２箇所の作動点を有する；具体的には、カム１５０の上部にあり、ハウジングの上端でハウジング１００から露出している上部露出接触面１５０ａと、ハウジング１００の下部から露出し、ハウジング１００から外側に延在している下部露出接触面１５０ｂとである。これらの２つの作動点は、成人ユーザーに、異なる２本の指で２箇所に力を与えさせる。カム軸１５２の周りをカム１５０が回転すると、ガスアクチュエータ接触面１５０ｄは、面１５０ｄとガスアクチベータ１２０との間のギャップＸ（図３）を閉じる、つまり、ガスアクチュエータ１２０に、回転し、燃料を放出するように力／変異を与える。燃料は、チューブ１６０を通じてノズル１６５に達する。ガスが放出される間、圧電接触面１５０ｃが圧電機構１４３を圧迫し、圧電ユニットの中のハンマー（不図示）が同じく圧電ユニット中の圧電素子（不図示）を衝撃するようにする。圧電素子部品や水晶の衝撃が電気的なインパルスを生み出し、当該インパルスはワイヤ１４４及び１４６（図１〜４に図示）を通じて筒部１８０から筒部アンテナ１６８（図１Ｂ）に導かれて、ノズル１６５又はディフューザ１６７とギャップＷに火花を生じる。電気的なアークがノズル１６５又はディフューザ１６７と筒部アンテナ１６８との間のギャップＷを通じて生み出され、このようにして燃料供給部から放出された燃料に点火する。
【００５４】
或いは、アクチュエータユニットが燃料放出及び／又点火機能の一つを担い、他の機構やアッセンブリがもう一方の機能を担うのでもよい。
【００５５】
本発明のアクチュエータユニットのカム１５０や他の実施形態に、燃料放出と点火機能のいずれか又は両方の機能を担わせることは、本発明の大きな射程の範囲内である。図１〜４に示される実施形態において、カム１５０はこれらの機能の両方を実行する。しかしながら、対象外のユーザーによる操作の抑止手段としてのカム１５０の機能は、カムを通したこれらの機能のいずれかを操作することによって満たされる一方、点火のためには両方の機能が実行されねばならないので、他の機能は異なる機構によって実行されるのでもよいことが当業者には明白であろう。例えば、このような実施形態では、カム１５０は点火アッセンブリ１４３のみを操作することができ、燃料供給部をコントロールするために他の何らかの操作構造がライター１０に配置されてもよい。
【００５６】
つまり、点火及び燃料供給機能のどのような組み合わせも、本発明の広い射程に従ったアクチュエータユニットによってコントロールされうる。しかしながら好ましくは、アクチュエータユニットはこれらの機能の両方を有することが好ましい。
【００５７】
この実施形態のカム１５０は、熱成形性の材料であるアクリロニトリル・ブタジエン・スチレン（ＡＢＳ）や、ポリプロピレン、ナイロン、アセタール等々の、好ましくは射出成形されたプラスチック部品、もしくは亜鉛（Ｚａｍａｋ３）やアルミニウム等から鋳造されたダイカスト部品であると好ましい。
【００５８】
或いは、カム１５０は複数部品のアッセンブリの一部であってよく、つまり、作動ユニットが複数部品のアッセンブリであって、所望に応じて点火するためにその一部又は全部がハウジング１００及び／又はカム１５０に対して可動であるのでもよい。
【００５９】
或いは、対象ユーザーへの快適さを増すために、上部及び下部動作面１５０ｃ及び１５０ｄが熱可塑性エラストマー（ＴＰＥ）で被覆されるよう、カム１５０が複数の材料から作られてもよい。
【００６０】
図１及び２のように、ライター１０は、カム１５０を回転することによってライターを作動させるために要求される所定の作動力を作り出すばねを含んでもよい。必要な部品を最小化するように、圧電部１４３の中の圧電ばね１４８とコイルばね１７０ｂとが実施形態の中のばねのすべてであることが好ましい。
【００６１】
付加的に、例えば回転軸１５２のトーションばね１７０ａ及び／又はばね１７０ｃ、または類似のものが、異なる所望の作動力を作り出すように追加されてもよい。所望の場合には、カム１５０を回転させる力が回転の間に変化するように、所定の作動力が非線形のばね力を有するのでもよい。
【００６２】
トーションばね１７０ａは、ハウジング１１０とカム１５０の間に位置してもよい。トーションばね１７０ａは、好ましくは弾性特性を有する金属、例えば、ばね鋼、ステンレス鋼のような金属や、他の種の材料から製造される。
【００６３】
ばね１７０ｃは、カム１５０とハウジング１００の突出部２２０との間に位置しうる。ばね１７０ｃは、例えばばね鋼やステンレス鋼のような弾性特性を有する鋼から製造されることができ、例えばアセタール熱可塑性プラスチックのような他の種の材料から製造されてもよい。ばね１７０ｃはライターハウジング１００の突出部２２０に関して備えられているように示されているが、代替的に、ライターの他の部品と結合されてもよいことは留意されるべきである。また、コイルばね１７０ｂはテンション又は圧縮コイルばねであってよく、或いは、板ばね、カンチレバーばね又はカム１５０を付勢するために適切な他の何らかの付勢部材で置換できる。突出部２２０は、側壁と、カム１５０が回転する間にばねが突出部２２０上で動くことを回避するようにばね１７０ｂの一端を固定する、突出部２２０の一面上に位置するピン又は他の何らかの構造を有する。カム１５０はまた、カム１５０の回転の間にカム１５０上の所望の位置にばね１７０ｂの他端を維持しておくのを助けるために、窪み（円形）又は他の何か適切な構造を有してもよい。
【００６４】
ばね１７０ｃはまた所定の位置での力を増すために、様々なばね定数のばねでありうる。またこのことは、上述の如く、作動に対して非線形の抵抗を生じるためになされてもよい。一つの所定の位置は、圧電の作動の直前にばね力が増すようなものでありえる。これは、ばね（複数）を互いの内側に位置させることによって実現され、つまり、圧縮された高さが小さな方のばねに達した時にばね力が増すようにすること、また、ばね定数が漸増するコイルばねを使用することができる。
【００６５】
また図１によれば、ハウジングピン２２５がハウジング１００と接続され、カム１５０が初期位置にあるときにカム１５０が時計回りに回ることを阻止するように配置される。カム１５０がハウジングピン２２５と接触している時、カム１５０は初期位置にある。圧電ばね１４８、ばね１７０ａ及び／又は１７０ｃはカム１５０に力を与えるよう設計されうる。カム１５０は初期位置に戻り、初期位置からカム１５０を回転させるための作動力の一部としてユーザーが克服せねばならない初期荷重を作り出す。
【００６６】
コイルばね１７０ｂはガスアクチュエータ１２０とハウジング１００のリブ受け１９０との間に位置する。コイルばね１７０ｂは、例えば好ましくは、ばね鋼やステンレス鋼のような弾性特性を有する金属や、アセタール熱可塑性プラスチックのような他の種の材料から製造される。コイルばね１７０ｂはハウジング１００に対して備えられることが示されるが、ライターの他の部品に結合されてもよいことが留意されるべきである。
【００６７】
圧電ばね１４８、トーションばね１７０ａ、コイルばね１７０ｂ及び／又はばね１７０ｃは、対象外のユーザーには操作することが十分に困難で、一方、成人は例えば人差し指と親指のような２本の指でライターに点火するのに必要な力を与えられるような作動力を生じるように調節されうる。ガスに点火するための、露出した接触面で組み合わされた力は、２０ｋｇより小さく、５ｋｇより大きい。好ましくは１５ｋｇより小さく６．５ｋｇより大きい。トルクについては、カム１５０の接触部間のレバーの長さを調節することによって調節されうる。
【００６８】
この実施形態（ライターのデザイン）はまた本質的に、改造に対する抵抗性がある。もしカム１５０がライターから取り外されれば、ライターは機能せず操作されることができない。なぜならガスを放出し、点火機構を作動させるために必要な全ての面が、製品から取り去られてしまうからである。
【００６９】
面１５０ｃ及び１５０ｄは、圧電部及び／又は燃料放出部品に対して面１５０ｄ及び１５０ｃが所望の場所で結合するように位置させることによって、燃料が放出され、圧電機構が作動される回転時間や回転角度を調節するようにデザインされうる。回転軸１５２に対する圧電機構１４３、ガスアクチュエータ１２０、ばね（１７０ａ、１７０ｂ及び１７０ｃ）の位置と、圧電機構１４３を作動させ、ガスを放出するためにガスアクチュエータ１２０を圧迫し、ばね（１７０ａ、１７０ｂ、１７０ｃ）からの力を克服するためにカムを回転させる力、加えてあらゆる摩擦力が、燃料に点火するためにカム１５０を回転させるための力／トルクの決定のために結びつく。ユーザーが火を消したいと思うとき、作動ユニットを解放すると、内部ばねがカム１５０を旋回させて初期又は休止位置に戻し、これによって燃料供給ユニット１０５からのガス流が停止して、火が消える。
【００７０】
つまり、図１〜４の実施形態は、対象外のユーザーによる操作を阻止できるように、所望の力までライターの作動に抵抗する内部ばねを有するライター１０を表す。一方で、カム１５０は２箇所の異なる作動面を有するように設計されている。具体的には１５０ａ及び１５０ｂで、２本の指がライターの点火のために逆向きの力を克服するために用いられ、そうして燃料に点火される。図１は、休止位置にあるこの実施形態のライター１０を示しており、カム１５０ｄはガスアクチュエータ１２０からギャップをもって離れており、カム面１５０ｃは点火アッセンブリ１４３に隣接するが動かすことはない。図２は点火位置に動かされた同じライターを示し、カム１５０は反時計回りに回動されており、カム面１５０ｄは燃料を放出するようにガスアクチュエータ１２０を圧迫しており、カム面１５０ｃは点火アッセンブリ１４３を動かしている。図３及び４は、図１及び２と同じ位置のライター１０を示しているが、所望に応じて面１５０ａ及び１５０ｄに力を与えるユーザーの指の意図される位置を示す。
【００７１】
図５〜９は本発明のさらなる実施形態を示しており、アクチュエータユニットが図１〜４のカム１５０と構造において異なっている。図５〜９の実施形態では、アクチュエータユニットは、カム６５２と延長部６５４のアッセンブリ６５０を含んでおり、延長部６５４はこの場合には、カム６５２に固定され、ハウジング６００のスロット６５８を通じてハウジング６００の外まで延在して位置する、横方向に延在するロッド６５６である。図５の矢印によって示されるように、ロッド６５６は、ライターを操作するために必要とされる組み合わされた作動力を与えるために、対象ユーザーによって力が与えられる他の面を提供する。図５は、ライター内部の別の作動アッセンブリ６５０を示し、図６はさらなる詳細を描写するためにハウジング６００から取り外されたアッセンブリ６５０を示す。
【００７２】
図７は点火位置にあるハウジング６００の中のアッセンブリ６５０を示す。カム６５２は回転軸６６０について枢動する。この実施形態においてカム６５２は、同様にばねによって付勢されうることが理解されるだろう。ハウジング１００の中が同様であるので、詳細はこの実施形態では繰り返されないが、図１〜４の実施形態について上述されたのと同様である。つまり、この実施形態の休止位置は図５に示され、図８及び９は、図５及び９に示される初期位置から図７及び８に示される点火位置へ作動アッセンブリ６５０を枢動させるために用いられる、対象ユーザーの指の位置を描写する。
【００７３】
この実施形態のロッド６５６は、ここに開示される本発明の広い目的の中で、力が与えられる第二の面を提供するものであることが理解されるだろう。
【００７４】
図１０及び１０Ａ〜Ｄは他の実施形態を示しており、ハウジング１００にスライド可能に接続されたプッシュボタン３４０を含む。プッシュボタン３４０のリブ３４１はハウジング１００のスロット（不図示）に適合しており、プッシュボタン３４０がハウジングに対してスライドすることを許容する。プッシュボタン３４０はカム３５０のスロット３５１に適合するピン３４２を有する。対象ユーザーによって１本の指でプッシュボタン３４０が押されると、ピン３４２はスロット３５１の面と接触し、力／変位が、反時計回りの方向にカム３５０を回転させるようにカム３５０に及ぼされ、同時に、カム３５０を回転させるように、対象ユーザーは他の指で下部の露出カム接触面３５０ｂに力を加えることができる。カム３５０が回転すると、燃料供給部からガスを放出させるようにガスアクチュエータ接触面３５０ｄがガスアクチュエータ１２０に接触及び圧迫し、また、圧電接触面３５０ｃは燃料に点火するための火花を生じるように圧電部を圧迫する。
【００７５】
ばね１７０ｃは突出部２２０とカム３５０の面３５０ｃとの間に圧縮状態で位置するコイルばねであり、カム３５０の回転を困難にし、また、ユーザーによって解放された時にはカム３５０を初期位置に戻す。突出部２２０上のばね１７０ｃの位置を調節するように突出部２２０にピン２０１が追加されてもよく、又は、追加的な突出部又は窪みが上述のように、また公知のようにばね１７０ｃの両側に固定或いは結合されてもよい。
【００７６】
ハウジングピン３２５は、図１のピン２２５と同様に、カム３５０が初期位置にある時、カム３５０が時計回りに動くことを阻止する。
【００７７】
スロット３５１及びピン３４２の形状は、プッシュボタン３４０のスライドする動作が、スロット３５１とピン３４２との間に、例えばプッシュボタンとカム３５０がユーザーによって解放された時にカム３５０が初期位置に戻ることを妨げる等のいかなる明らかな拘束や干渉も生じないようにデザインされる。さらに、プッシュボタン３４０が押圧されることなくカム３５０が回転されるとき、スロット３５１の後端がピン３４２と接触するまで、プッシュボタン３４０は動かない。
【００７８】
図１０及び１０Ａ〜Ｄの実施形態をまとめると、この実施形態は図１〜４の実施形態と同様のコンセプトで機能するものである。しかしながらこの実施形態は、カム３５０、プッシュボタン３４０及びプッシュボタン３４０とカム３５０と相互作用或いはリンクさせる部品を含む作動アッセンブリと、プッシュボタン３４０及びカム３５０とガスアクチュエータ１２０及び点火アッセンブリ１４３との連携とを利用したものである。
【００７９】
図１０は初期位置にあるこの実施形態のライターを示す。ユーザーは、プッシュボタン３４０とカム３５０とに力を加えて、その組み合わされた力が、カム３５０をハウジングの中に動かし、所望のように内部機構を操作するのに十分であるようにして、この実施形態を操作できる。
【００８０】
図１０Ａ〜Ｃはさらにこの実施形態に沿ったプッシュボタンの様々な図を示し、スロット３５１とカム３５０との相互作用のためのピン３４２を保持する、リブ３４１の下部構造をより詳しく示している。
【００８１】
この実施形態は、目的通りにプッシュボタン３４０とカム３５０の両方に力を加えられることで操作され、また、十分に強い人物がより大きな力を加えることによって、プッシュボタン３４０もしくはカム３５０のいずれかに力を加えることでも操作される。
【００８２】
十分な力が加えられると、カム３５０は図１０Ｄに示される点火位置の方向に、反時計回りにハウジング１００の内方へ回転する。その位置では、カム３５０の面３５０ｃ及び３５０ｄが圧電機構、ガスアクチュエータ１２０及び燃料供給ユニットとそれぞれ相互作用し、所望のように点火が起こる。
【００８３】
ライターからの炎を消したいと思うとき、ユーザーはカム３５０及びプッシュボタン３４０に加えられていた力を解放する。そうするとばね１７０ｃ及び１７０ｂなどの内部ばねが、カム３５０を図１０の初期位置に時計回りに旋回させる。
【００８４】
この実施形態やおそらく他の本発明の実施形態では、ライターが点火された後、プッシュボタン３４０又はカム３５０のいずれかに継続的な力を加えることによって炎が維持されることは留意されるべきである。
【００８５】
またこの実施形態に関して、スロット３５１は、プッシュボタン３４０の動作がカム３５０へ力を与える前に、プッシュボタン３４０にかけられうる動作量を規定する。図１０の初期位置から図１０Ｄの点火位置へ向かって動くとき、プッシュボタン３４０に与えられる力は、ピン３４２がスロット３５１の前部面に達するまで、カム３５０に何らの力を与えることがない。さらに、スロット３５１のサイズが大きいほど、スロットとピン３４２の間に接触が生じる前に、プッシュボタン３４０又はカム３５０は互いに動くことができる。カム３５０に何らの影響をすることのないプッシュボタン３４０の動きが十分大きくなるスロットを有することが望まれるかもしれない。なぜならそのことは、対象外のユーザーが、プッシュボタン３４０とカム３５０とが連携するように接続することを阻止するのに役立つからである。
【００８６】
図１１及び１２は本発明の実施形態を示し、第３の面が、十分な力を与えるのを助けるように、異なる位置の第２の指又はユーザーの第３の指のいずれかを用いて操作するように設けられている。
【００８７】
図１１及び１２に示されるカム１５０の形状はさておき、これらの図の実施形態の操作は実質的に図１〜４のものと同じである。この実施形態における明確な違いの要点は、カム１５０から下方に延伸している延長部２１０であり、ユーザーによって力が与えられる追加的な面を作り出している。つまりこの実施形態では、ユーザーによって、上方の面１５０ａ、下方の面１５０ｂ、及び／又は、延長部２１０の前方端に力が加えられうる。図１２は、点火位置にあるこの実施形態のライターを示し、十分な力がカム１５０に与えられると、ライターが作動し、点火するようにカム１５０が他の実施形態と同様に反時計回りに回転することを明確に示している。延長部２１０を含むカム１５０への力が解放されると、カム１５０は図１１の位置に向かって時計回りに旋回し、ライターの炎が消える。
【００８８】
他の実施形態においては、図１３〜１５に示されるように、プッシュボタン４４０は、ハウジング１００に軸４４１で枢動可能に結合されている。プッシュボタン４４０は、ばね接続面４４３及び突出部４４２を有する。ばね４７０ｃは、プッシュボタン４４０のばね接続面４４３とハウジング１００のリブ又は他の構造４２０との間に圧縮状態で収容されている。任意のばね４７０ｃはプッシュボタン４４０の押し下げの難しさを増加させ、また、ユーザーに解放されたときにはプッシュボタン４４０を初期位置に戻す。プッシュボタン４４０が対象ユーザーによって１本の指で押されると、突出部４４２はカム４５０の面４５０ａに力を与え、同時に対象ユーザーは、カム４５０を回転させるために他の指で下部に露出したカム接触面４５０ｂに力を与えることができる。カム４５０が回転すると、ガスアクチュエータ接触面４５０ｄがガスアクチュエータ１２０と接触して燃料供給部からガスを放出するよう圧迫し、また、圧電接触面４５０ｃがガスや燃料に点火するための火花を生じるよう圧電部を圧迫する。ユーザーがプッシュボタン４４０とカム４５０とを解放すると、ばね４７０ｃがプッシュボタン４４０を戻し、圧電部１４３とガスアクチュエータばね４７０ｂもまたカム４５０を初期位置に戻す。必要であれば、さらに追加的なばねが、カム４５０が戻るのを助けるように備えられてもよい。
【００８９】
プッシュボタン４４０がハウジングに接続されるカンチレバー式の棒部材として設計されてもよいことは留意されるべきであり、そうすると軸４１１は必要でない。棒部材の弾性が棒部材を必要に応じて曲げ及び回復させ、そしてこの弾性によってばね４７０ｃの必要性を無くすことができるだろう。
【００９０】
プッシュボタン４４０の突出部４４２は幾つかの異なる方法でカム４５０と相互作用しうることが認められるだろう。さらにこの実施形態では、他の実施形態のように、プッシュボタン４４０とカム４５０の間にいくらかのあそびがあって、対象外のユーザーには、これらの２つの構造の間に何らかの接続があることが明らかでないことが好ましい。図１３Ａは突出部４４２の構造のさらに詳細な描写であり、下部ピン４４６と上部面４４８とが、ギャップＺによって分離されていることを示す。これらの構造は、図１３Ｂに最も描写されている位置、接触面４５０ａと４５０ｅでカム４５０と相互作用する。これらの面は、例えば図１３及び１４に示されるギャップＺの間隔に見合う厚さＡを規定する。そして、厚さＡに対するギャップＺのサイズは、プッシュボタン４４０とカム４５０の間に所望量のあそびを与える。この実施形態では、ほとんど又は全ての力がプッシュボタン４４０及びカム４５０のどちらか一方に与えられると、接触面４５０ａ及び４５０ｅの異なる位置で、これらの２つの部品に接触が起こるであろうことが明らかであろう。しかしながら、両方が動かされようとすると、両方の構造が一緒に動くこともある。プッシュボタン４４０及び／又はカム４５０に与えられる力に応じて、面４５０ａ及び４５０ｅのどちらか一方がそれぞれプッシュボタン４４０の面４４８又は４４６と接触する。言い換えれば、もしもプッシュボタン４４０により大きな力が与えられれば、面４４８がカム４５０の接触面４５０ａと接触し、接触したこれらの面でさらなる動きが生じるであろう。一方、さらにより大きな力がカム４５０に与えられれば、面４５０ｅがプッシュボタン４４０の接触面４４６と接触し、これらの２つの部品のさらなる動きは、接触しているこれらの２つの面で生じるだろう。もし、面４５０ａ及び４５０ｅが互いに接触することなく面４４８と４４６との間のギャップＺに浮かぶように実質的にバランスされた力がプッシュボタン４４０とカム４５０との両方に与えらえると、さらに違う状況が生じうる。図１３は初期位置にあるこの実施形態を示し、ばね回転カム４５０は完全に時計回りでプッシュボタン４４０は完全に持ち上げられている。ハウジング１００はプッシュボタン止め１１１（図１３）を有し、プッシュボタン４４０は、プッシュボタン４４０が回転してハウジング１００から外に出ることを防止するために協働するような延長部４４４を備えている。
【００９１】
図１４は点火位置にあるこの実施形態を描写している。この状態は、プッシュボタン４４０とカム４５０の両方を、カムよりもプッシュボタンをより大きな力で押すことか、プッシュボタンのみを押すことによって得られる。力がこのように与えられるとき、プッシュボタン４４０の面４４８とカム４５０の面４５０ａの間に接触が生じる。
【００９２】
カム４５０のみに、又は、プッシュボタン４４０よりもカム４５０に大きな力を加えながらカム４５０とプッシュボタン４４０の両方に力を加えることによって、この実施形態のライターを操作すると、図１５に示された点火位置へと回転する間に、カム４５０がそれに沿ってプッシュボタン４４０を引張り、プッシュボタン４４０の面４４６とカム４５０の面４５０ｅとの間に接触が生じる。
【００９３】
どちらの場合でも、この実施形態において火を消したいときには、プッシュボタン４４０とカム４５０を解放すると、図１３の初期位置の方への時計回りのカム４５０の旋回が生じる。このことが燃料の流れを止め、それによって火が消える。
【００９４】
さらに図１３〜１５によれば、ハウジングピン４２５は、図１のピン２２５と同様に、カム４５０が初期位置にあるときにカム４５０の時計回りの回転を防止するために、カム４５０に関して配置されうる。好ましくはカム４５０（初期位置）のための歯止めとしてハウジング１１０に取り付けられるハウジングピン４２５は、特にプッシュボタン４４０に力が加えられたときにこれらの２つの部品の間の接触を助けるために、カム４５０又はプッシュボタン４４０に、或いはそれらの間の分離された部品として、配置されてもよい。
【００９５】
当業者は、要求される力の量は、何らかのばね定数を有する異なるばねを選択すること及び／又は、カム１５０のカム作用面の形状や異なる接触点に関する中心１５２の位置を変更することによって様々にできることを知っており、了解するだろう。このデザインの結果、カム１５０を回転させるための力も変化するだろう。
【００９６】
ライターは、ユーザーがライターに点火するためには所定の強さを有さねばならないようにデザインされる。ライターは、対象ユーザーが露出面１５０ａ又は１５０ｂの一つにより大きな力を与えることによって、一つの動作や１本の指で点火されうる。これは、強力モードと言われる。
【００９７】
すべての実施形態について、ある対象ユーザーにとってライターを用いることが過剰に難しくないようにするためには、強力モードは好ましくは所定の値よりも大きくない方がよい。本発明のライターでは、好ましい値は約１０ｋｇより小さく、約５ｋｇよりも大きいことが好ましい。より好ましくは、約８．５ｋｇよりも小さく、約６．５ｋｇよりも大きい。言い換えれば、２つの接触面に与えられる力の合計は、組み合わせであってもどちらか一方であっても、約５〜１０ｋｇの間である。このような範囲の力は、対象ユーザーにとっては実質的に否定的なものではないが、しかしながら、対象外のユーザーによる操作には、所望の抵抗を与えるものだと考えられる。これらの値は例示であり、強力モードでの操作のための力は、上記の範囲よりもさらに大きくてもよいし、小さくてもよい。
【００９８】
或いは、もし対象ユーザーが一つの接触面において１本の指でライターを作動させること（強力モード）によるライターの使用を望まないのであれば、対象ユーザーは、実施形態による複数のカム面に接触することによってライターを操作することもできる。そして、両方の場所に同時に力を与えることは、ライターを作動させるための力をいずれの位置でもより小さなものとし、ライターの操作をより容易にする。この操作モードは複数の作動動作を含み、示された実施形態では、ユーザーは、２又はそれ以上の力／動作を、どの面においても強力モードで必要とされる力よりも小さな力で、カム１５０、３５０，４５０、６５０及び／又はプッシュボタン３４０、４４０又は延長ロッド６５６に与えることができる。これは弱力モードといわれる。
【００９９】
好ましくは、弱力モードで使用するためには、ユーザーは同時に両方の露出接触面（例えば１５０ａ及び１５０ｂ）を動かすために、所定のレベルの器用さと手のサイズ、認識能力を有さなければならない。
【０１００】
本発明は開示されたシークエンスに限定されるものではなく、当業者によって予測される代替的な形態もまた含む。弱力モードにおけるライター１０の対象外のユーザーに対する安全性という特徴もまた、対象ユーザーと対象外のユーザーとの身体的な違いに基づくものであり、例えば、カム１５０、３５０、４５０（及び／又はプッシュボタン３４０／４４０）の露出面の間の間隙を調整することや、及び／又は、ライターを作動させるのに要求される作動力及び変位を調整することによってもよい。力や変位は、カム面の干渉を調整すること、カム１５０の軸の位置、カム面の形状（１５０ｃ及び１５０ｄ）やばねのデザインを調整することによる。さらに、ギャップＹ、Ｚや厚さＡ、Ｂはまた、対象の及び対象外のユーザーにとって、ライターを作動させるのに必要な感覚及び／又は力を最適化するために設定されうる。
【０１０１】
例えば作動アッセンブリ又はユニットの設計、リンク機構の設計、ばねの数やばねによって生じる力などの、内部部品及び／又はアッセンブリのデザインはすべて、ライターを作動させるためにユーザーが作動ユニットに与える必要がある力に影響する。例えば、作動経路に沿って動くカムのために必要とされる力は、アクチュエータユニットの経路が線状、回転状、非線形等の場合で同じではない。作動をより難しくする複数の経路に沿って、ユーザーが作動ユニットを動かすような作動動作にすることもできる。
【０１０２】
開示された実施形態は、回転する作動経路を有する作動ユニットの好ましい形態を示したが、当業者には、線状、回転状、及び／又は非線形の作動力や複数の経路などが本発明から予見されることが明白であろう。
【０１０３】
対象ユーザーが無理なくカムに与えられる力は、様々な要因で大きく或いは小さくされうることが、当業者には明白である。これらの要因は例えば、ライターデザインによって与えられる作動ユニットを押したり引いたり作動させたりする力、ライター部品の摩擦及びばね定数、露出したカム面の形状、カムの形状、カム作動動作の複雑さ、部品の位置、サイズ、形状、望まれる作動の速さ等である。例えば、カム露出面の間の位置及び／又は関係は、ユーザーの手の大小を勘案して設計されうる。
【０１０４】
ライター１０の一つの特徴は、強力モードでは、ユーザーが必要な作動力と変位を与える限りにおいて、作動ポイント／操作が一回のみはたらくことである。ライター１０の他の特徴は、弱力モードにおいては、ユーザーがライターの点火に必要な充分な力及び変位をカム１５０の露出面に与える限りにおいて、複数の作動ポイント／操作が働くことである。特に、ライターが一回目の試みで点火しなかったとき、ユーザーは単一又は複数の作動ポイントに力を与えてカム１５０を作動させることによって、再度火をつけるように試みることができるが、そのためには、例えば圧電部をリセットするなど作動ユニットを解放することが要求されるようにもできる。
【０１０５】
図１０〜１０Ｄ、１３〜１５に示されるライターのデザインはまた、本質的に改造に対する抵抗性を有する。なぜなら、もしプッシュボタン（３４０又は４４９）が故意に取り外されるとライターは強力モードになるからである。すなわち、ばね１７０ｂ、１７０ｃ及び点火機構を作動させるための力は、ライターがチャイルドレジスタンスとなるために必要な力を作り出すようにデザインされうるので、ライターを作動させるためのカム３５０又は４５０を回転させるための力がチャイルドレジスタンスを超えるレベルになるのである。もしカム３５０又は４５０が故意にライターから取り外されると、ライターは機能しなくなり操作できなくなる。なぜなら、ガスを放出させ、点火機構を作動させるのに必要な全ての面が、製品から取り去られてしまうからである。
【０１０６】
ここに開示される全ての実施形態において、ライター１０は、ライターに点火するために十分な力と変位をもって所定の方向に動かされねばならない２つの作動面を有する。このことは、ライターに点火する力を加えるために、成人であるユーザーに同じ部品やアッセンブリの異なる場所に力を加えさせる。対象とするユーザーの２本の異なる指を用いて点火のための力を加えるよう、カム１５０の作動点を配置することによって、対象外のユーザーには困難を与えることになるだろう。なぜなら、対象外のユーザーは、認識能力、器用さ、手の大きさ、及び／又は、一つの作動点に接触することのみによってライターの作動力を克服する力の強さを持たないからである。また、対象外のユーザーは、成人や対象ユーザーよりも小さなサイズの手で２又はそれ以上の作動点に触ることができず、また或いは、ライターを作動させるために、正しい方向に同時に十分な力を加えることができないからである。
【０１０７】
作動点の間の距離は、作動に２つの手を必要とする、或いは、同時に両方の作動点に触れるためには大きな手でなければならないようにデザインされてもよい。
【０１０８】
ライターは好ましくは、成人の手によって触れられる、所定のトルクが必要な２つの分離した作動点を有する回転カムを有してデザインされる。本発明のタイプのライターの一般的なレバーアームの長さについては、レバーアームは約５ｍｍから約５０ｍｍの間であり、所定のトルクは好ましくは５００ｋｇ−ｍｍより小さく、５０ｋｇ−ｍｍより大きい。２つのポイントは好ましくは親指と人差し指で触れられるように配置される。図１０、１０ｄ、１３〜１５に示されるように、ライターに点火するために、人差し指はカム１５０、３５０、４５０を回すことができ、親指はプッシュボタン３４０、４４０を所定の距離だけ変位させることができる。他の例は図３に示されており、図３では、図４に示されるライター点火のためのトルク（力）を与えるように、人差し指が図１の面１５０ｂの場所でカム１５０の下部面にトルクを与え、同時に親指が図１に示されるように同じカム１５０の面１５０ａにトルクを与える。（他の実施形態では、３５０、４５０の同様の面、及び／又はプッシュボタン３４０、４４０であることに留意。）
【０１０９】
図３及び４に示されるように、カム１５０、３５０、４５０（及び／又はプッシュボタン３４０，４４０）に力が加えられると、カム１５０、３５０、４５０（及び／又はプッシュボタン３４０、４４０）は、ガスアクチュエータ１２０及び圧電機構１４３を押圧（回転）するように回転する。
【０１１０】
「第一」「第二」「第三」「上部」「下部」及び類似の文言は、様々な要素を修飾して使用されていることは留意されねばならない。これらの修飾語は、特に明示されない限り、空間的、順番、或いは階層を意味するものではない。
【０１１１】
本開示は１又は複数の具体的な実施形態に言及して説明されているが、当業者には、様々な変更がなされうること、本発明の射程の範囲から離れることなく各要素について同等物に置換されうることが理解されるだろう。また、特定の状況や材料に合わせて、予測されるベストモードとして開示された特定の実施形態に制限されない開示の教示に、多くの改変がなされうる。しかしながら、本開示はそこに収まる全ての実施形態を包含するものである。
【図１】
0005869667.tif 000002
【図１Ａ】
0005869667.tif 000003
【図１Ｂ】
0005869667.tif 000004
【図２】
0005869667.tif 000005
【図２Ａ】
0005869667.tif 000006
【図３】
0005869667.tif 000007
【図４】
0005869667.tif 000008
【図５】
0005869667.tif 000009
【図６】
0005869667.tif 000010
【図７】
0005869667.tif 000011
【図８】
0005869667.tif 000012
【図９】
0005869667.tif 000013
【図１０】
0005869667.tif 000014
【図１０Ａ】
0005869667.tif 000015
【図１０Ｂ】
0005869667.tif 000016
【図１０Ｃ】
0005869667.tif 000017
【図１０Ｄ】
0005869667.tif 000018
【図１１】
0005869667.tif 000019
【図１２】
0005869667.tif 000020
【図１３】
0005869667.tif 000021
【図１３Ａ】
0005869667.tif 000022
【図１３Ｂ】
0005869667.tif 000023
【図１４】
0005869667.tif 000024
【図１５】
0005869667.tif 000025